(57)【特許請求の範囲】
【請求項１】
予熱タイマー運転スイッチと、予約時刻設定スイッチと、表示器と、時計をカウントする時計カウンタと、予約時刻をそれぞれ記憶する複数個の予約時刻メモリと、前記複数個の予約時刻メモリ毎に付与された識別記号と、前記予熱タイマー運転スイッチの操作回数に応じて前記複数個の予約時刻メモリの内１つを選択してタイマーセットする予約時刻選択手段と、前記予約時刻選択手段で選択された予約時刻メモリの識別記号及び予約時刻を前記表示器に表示させる予約内容表示手段と、前記予約時刻選択手段でタイマーセットされた予約時刻メモリの予約時刻と時計カウンタの現在時刻とを比較し、時刻が一致したら一定時間気化器の予熱を行う予熱タイマー運転手段とを備えた予熱タイマー制御装置に於いて、前記予約時刻選択手段は、前記予熱タイマー運転手段による予熱が開始または終了すると、現在時刻以降で最も近い予約時刻が記憶された予約時刻メモリを自動的に選択してタイマーセットすることを特徴とする予熱タイマー制御装置。
【請求項２】
予熱タイマー運転スイッチと、予約時刻設定スイッチと、表示器と、時計をカウントする時計カウンタと、予約時刻をそれぞれ記憶する複数個の予約時刻メモリと、前記複数個の予約時刻メモリ毎に付与された識別記号と、前記予熱タイマー運転スイッチの操作回数に応じて前記複数個の予約時刻メモリの内１つを選択してタイマーセットする予約時刻選択手段と、前記予約時刻選択手段で選択された予約時刻メモリの識別記号及び予約時刻を前記表示器に表示させる予約内容表示手段と、前記予約時刻選択手段でタイマーセットされた予約時刻メモリの予約時刻と時計カウンタの現在時刻とを比較し、時刻が一致したら一定時間気化器の予熱を行う予熱タイマー運転手段とを備えた予熱タイマー制御装置に於いて、前記予約時刻選択手段は、予熱タイマー運転スイッチの一回目の操作では現在時刻以降で最も近い予約時刻が記憶された予約時刻メモリを自動的に選択してタイマーセットし、予熱タイマー運転スイッチの二回目以降の操作では予め定められた順序で予約時刻メモリを選択してタイマーセットすることを特徴とする予熱タイマー制御装置。
【発明の詳細な説明】
【０００１】
【発明の属する技術分野】
本発明は、燃油を気化して燃焼させる気化式燃焼装置に用いられる、予め設定した時刻に気化器を予熱する予熱タイマー制御装置に関するものである。
【０００２】
【従来の技術】
従来よりこの種の予熱タイマー制御装置に於いては、例えば特開平９−３１８０４７号公報に開示されているように、設定された時刻になると気化ヒータに通電して気化器を予熱しておくものであった。
【０００３】
【発明が解決しようとする課題】
しかし、この従来のものでは、予熱ができる時刻は一日の内で１つしか設定できないため、例えば予熱予約時刻を朝の時刻に設定していた場合は、晩の時刻に予熱タイマー運転を行わせようとすると、その都度予熱予約時刻を設定し直さなければならず、手間がかかって不便であり多様なユーザーの要望に対応できないものであった。
【０００４】
【課題を解決するための手段】
この発明はこの点に着目し上記課題を解決するため、特にその構成を、予熱タイマー運転スイッチと、予約時刻設定スイッチと、表示器と、時計をカウントする時計カウンタと、予約時刻をそれぞれ記憶する複数個の予約時刻メモリと、前記複数個の予約時刻メモリ毎に付与された識別記号と、前記予熱タイマー運転スイッチの操作回数に応じて前記複数個の予約時刻メモリの内１つを選択してタイマーセットする予約時刻選択手段と、前記予約時刻選択手段で選択された予約時刻メモリの識別記号及び予約時刻を前記表示器に表示させる予約内容表示手段と、前記予約時刻選択手段でタイマーセットされた予約時刻メモリの予約時刻と時計カウンタの現在時刻とを比較し、時刻が一致したら一定時間気化器の予熱を行う予熱タイマー運転手段とを備え、前記予約時刻選択手段は、前記予熱タイマー運転手段による予熱が開始または終了すると、現在時刻以降で最も近い予約時刻が記憶された予約時刻メモリを自動的に選択してタイマーセットするものとした。
【０００５】
これにより、複数個の予約時刻を設定可能で、予熱タイマー運転スイッチの操作回数に応じた予約時刻メモリを選択してタイマーセットすると共に、表示器に選択された予約時刻メモリの識別記号及び予約時刻を表示することができ、例えば「朝」、「晩」等の複数の時刻の内から１つを選択して予熱タイマー運転させることが容易な設定で可能で、ユーザーの要求に合わせた予熱タイマー設定ができ予熱タイマーの使い勝手が良いものであり、更に１つの予約時刻メモリに記憶した予約時刻の予熱が開始または終了すると、自動的に現在時刻以降で一番近い予約時刻を記憶した予約時刻メモリを選択してタイマーセットするので、一度生活パターンに合わせた複数の予約時刻を設定すれば、これ以降は予熱タイマー運転スイッチを１回操作するだけで自動的に予熱タイマー運転を継続して行うことができ使い勝手が良いものである。
【０００６】
また、請求項２では、予熱タイマー運転スイッチと、予約時刻設定スイッチと、表示器と、時計をカウントする時計カウンタと、予約時刻をそれぞれ記憶する複数個の予約時刻メモリと、前記複数個の予約時刻メモリ毎に付与された識別記号と、前記予熱タイマー運転スイッチの操作回数に応じて前記複数個の予約時刻メモリの内１つを選択してタイマーセットする予約時刻選択手段と、前記予約時刻選択手段で選択された予約時刻メモリの識別記号及び予約時刻を前記表示器に表示させる予約内容表示手段と、前記予約時刻選択手段でタイマーセットされた予約時刻メモリの予約時刻と時計カウンタの現在時刻とを比較し、時刻が一致したら一定時間気化器の予熱を行う予熱タイマー運転手段とを備え、前記予約時刻選択手段は、予熱タイマー運転スイッチの一回目の操作では現在時刻以降で最も近い予約時刻が記憶された予約時刻メモリを自動的に選択してタイマーセットし、予熱タイマー運転スイッチの二回目以降の操作では予め定められた順序で予約時刻メモリを選択してタイマーセットするものとした。
【０００７】
これにより、複数個の予約時刻を設定可能で、予熱タイマー運転スイッチの操作回数に応じた予約時刻メモリを選択してタイマーセットすると共に、表示器に選択された予約時刻メモリの識別記号及び予約時刻を表示することができ、例えば「朝」、「晩」等の複数の時刻の内から１つを選択して予熱タイマー運転させることが容易な設定で可能で、ユーザーの要求に合わせた予熱タイマー設定ができ予熱タイマーの使い勝手が良いものであり、更に予熱タイマー運転スイッチの一回目の操作では現在時刻以降で最も近い予約時刻が記憶された予約時刻メモリを自動的に選択してタイマーセットするので、予熱タイマー運転スイッチを１回操作するだけで自動的に現在時刻以降で最も近い予約時刻に予熱タイマー運転を行うことができ使い勝手が良いものである。
【０００８】
【発明の実施の形態】
次に、本発明に係る予熱タイマー制御装置を図面に示した一実施形態に基づいて説明する。
１は本発明の予熱タイマー制御装置２を組み込んだ気化式石油給湯装置で、３は燃油である石油を噴霧して供給する噴霧ノズル、４は燃油を気化する気化器、５は気化器４を燃油が気化可能な温度まで加熱する気化ヒータ、６は燃油の気化ガスを燃焼させるバーナ部、７は燃焼を検知する燃焼検知手段、８は燃焼ガスの熱により水を加熱する熱交換器、９はこの気化式石油給湯機１の操作を行うリモコン装置で、電源スイッチ１０をＯＮすると気化ヒータ５に通電開始して気化器４を燃焼可能な予熱状態とし、給湯栓（図示なし）が開かれるとバーナ部６で燃焼を開始し、適温に加熱された温水が給湯栓から給湯されるものである。
【０００９】
前記リモコン装置９は、前記電源スイッチ１０と、予熱タイマー運転を指示する予熱タイマー運転スイッチ１１と、予熱タイマー運転の開始時刻を設定する予約時刻設定スイッチ１２と、現在時刻や給湯機の運転に関する種々の情報を表示する表示器１３とを有している。
【００１０】
１４ａ、１４ｂ、１４ｃ、１４ｄはそれぞれ識別記号（朝、昼、晩、Ｔ）が付与された予熱タイマー運転による予熱の開始時刻をそれぞれ記憶する複数個の予約時刻メモリである。尚、この複数個の予約時刻メモリ１４ａ、１４ｂ、１４ｃ、１４ｄはマイコンのＲＡＭの記憶領域がそれぞれ割り当てられているもので、電源が完全に遮断されるまで設定された予約時刻を保持しておくものであるが、例えばこのＲＡＭの代わりにＥＥＰＲＯＭによって電源遮断後も予約時刻の記憶を保持しておくことも可能である。
【００１１】
１５は予熱タイマー運転スイッチ１１の押圧操作回数に応じて複数個の予約時刻メモリ１４ａ、１４ｂ、１４ｃ、１４ｄから１つの予約時刻メモリ１４を選択し、選択された一つの予約時刻メモリ１４に記憶された予約時刻を予熱タイマー運転による予熱の開始時刻としてタイマーセットする予約時刻選択手段である。
【００１２】
１６は現在時刻をカウントする時計カウンタ、１７は前記予約時刻選択手段１５でタイマーセットされた１つの予約時刻メモリ１４の予約時刻と前記時計カウンタ１６でカウントしている現在時刻とを比較して、時刻が一致したときに気化ヒータ５を通電開始させて一定時間だけ気化器４を燃焼可能な予熱状態とさせる予熱タイマー運転手段である。
【００１３】
尚、ユーザーが設定した時刻に予熱を開始すると給湯しようとしたときにまだ予熱が完了していない場合があり得るので、予熱タイマー運転手段１７は設定された予約時刻前に予熱を開始しておくことが望ましく、予約時刻の５分前と現在時刻を比較して予熱を開始させるようにしても良い。
【００１４】
１８は前記予約時刻選択手段１５で選択された１つの予約時刻メモリ１４の固有の識別記号と予約時刻を前記リモコン装置９の表示器１３に表示させる予約内容表示手段で、ここでは予熱タイマー運転が開始されると表示器１３の左フレームに「予熱予約」の文字表示と前記予約時刻選択手段１５で選択された１つの予約時刻メモリ１４の識別記号（例えば朝）を表示すると共に、右フレームに前記予約時刻選択手段１５で選択された１つの予約時刻メモリ１４に記憶されている予約時刻（例えばＡＭ６：００）を表示させる。
【００１５】
尚、ここでは前記表示器１３は予熱タイマー運転の予約時刻を表示しながら、表示器１３の左フレーム上部に「現在時刻」文字と、右フレームに前記時計カウンタ１６でカウントする現在時刻とを表示することが可能なものとしており、左フレームは蛍光表示管による固定キャラクター表示を行い、右フレームはドットマトリクス型蛍光表示管によって種々の文字やキャラクターをフレキシブルにマトリクス表示を行うものである。
【００１６】
そして、予熱タイマー運転手段１７は現在時刻がタイマーセットされた１つの予約時刻メモリ１４に記憶されている予約時刻に一致すると、気化ヒータ５に通電を開始して気化器４を一定時間燃油が気化可能な予熱状態に保持する。
【００１７】
さらに、前記予約時刻選択手段１５は予熱タイマー運転手段１７による予熱が開始または終了すると、時計カウンタ１６でカウントする現在時刻と各予約時刻メモリ１４ａ、１４ｂ、１４ｃ、１４ｄの予約時刻とをそれぞれ比較し、現在時刻以降で最も近い予約時刻メモリ１４を選択し、選択された１つの予約時刻メモリ１４に記憶された予約時刻を予熱タイマー運転による予熱の開始時刻として自動的にセットするものである。
【００１８】
次に、この一実施形態の作動を図３に基づいて説明する。
まず、予熱タイマー運転を開始するために予熱タイマー運転スイッチ１１が最初に押圧操作されると、予約時刻選択手段１５は予約時刻メモリ１４ａを選択して予熱タイマー運転手段１７にこの選択された予約時刻がセットされて予熱タイマー運転を開始し、予約内容表示手段１８が表示器１３に「予熱予約」の文字と識別記号「朝」と予約時刻の初期値「ＡＭ６：００」を表示させる。
【００１９】
ここで、予約時刻メモリ１４ａに記憶された予約時刻を変更したい場合は、前記予約時刻設定スイッチ１２を押圧操作することで任意の時刻に変更記憶させることが可能である。
【００２０】
このまま予熱タイマー運転スイッチ１１が再度押圧操作されることがなかった場合は、現在時刻が選択した予約時刻メモリ１４ａの予約時刻「ＡＭ６：００」になると気化ヒータ５が通電開始されて、予約時刻から一定時間（ここでは２時間）の気化器４の予熱が始まるものである。
【００２１】
また、最初に選択された予約時刻メモリ１４ａの予約時刻になる前に予熱タイマー運転スイッチ１１の２回目の押圧操作がされると、予約時刻選択手段１５は予約時刻メモリ１４ｂを選択し、予約内容表示手段１８が表示器１３に予約時刻メモリ１４ｂの識別記号「昼」と予約時刻の初期値「−：−−」を表示させる。
【００２２】
ここで、この予約時刻メモリ１４ｂの初期値「−：−−」は、時刻がセットされていない状態を示し該予約時刻メモリ１４ｂを不作動にするものである。尚、前記予約時刻設定スイッチ１２を押圧操作すれば予約時刻を設定することが可能で、予約時刻が設定されれば該予約時刻になると気化ヒータ５が通電開始されて、予約時刻から一定時間の気化器４の予熱が始まり、予約時刻が設定されなかった場合は、所定時間（ここでは５秒）予熱タイマー運転スイッチ１１及び予約時刻設定スイッチ１５の押圧操作がされないと、前記予約時刻選択手段１５は自動的に次の予約時刻メモリ１４ｃを選択するものである。
【００２３】
また、予熱タイマー運転スイッチ１１が３回目に押圧操作されると、予熱時刻選択手段１５は次の予約時刻メモリ１４ｃを選択し、この選択された予約時刻を予熱タイマー運転手段１７にセットして予熱タイマー運転を開始し、予約内容表示手段１８が表示器１３に予約時刻メモリ１４ｃの識別記号「晩」と予約時刻の初期値「ＰＭ６：００」を表示させ、現在時刻が選択した予約時刻メモリ１４ｃの予約時刻「ＰＭ６：００」になると気化ヒータ５が通電開始されて、予約時刻から一定時間（ここでは２時間）の気化器４の予熱が始まるものである。
【００２４】
また、選択された予約時刻メモリ１４ｃの予約時刻になる前に予熱タイマー運転スイッチ１１の４回目の押圧操作がされると、予約時刻選択手段１５は予約時刻メモリ１４ｄを選択し、予約内容表示手段１８が表示器１３に予約時刻メモリ１４ｄの識別記号「Ｔ」と予約時刻の初期値「−：−−」を表示させる。
【００２５】
この予約時刻メモリ１４ｄも初期状態では予約時刻が記憶されていないので、予約時刻が設定されれば設定された時刻に予熱タイマー運転による予熱が開始され、また、所定時間（ここでは５秒）予熱タイマー運転スイッチ１１及び予約時刻設定スイッチ１５の押圧操作がされないか、または予熱タイマー運転スイッチ１１が５回目の押圧操作がされると、前記予約内容表示手段１８は「予熱予約」の文字表示と予約時刻メモリ１４の識別記号及び予約時刻の表示を消灯させて予熱タイマー運転を終了させるものである。
【００２６】
ここで、予約時刻メモリ１４ａ、１４ｂ、１４ｃ、１４ｄに時刻が設定されていない状態（全部「−：−−」が設定された状態）だった場合は、予熱タイマー運転スイッチ１１の押圧操作から所定時間（例えば５秒間）予約時刻設定スイッチ１２が押圧操作されず依然時刻が設定されなければ、自動的に予熱タイマー運転をキャンセルするものである。
【００２７】
次に、例えば事前に複数個の予約時刻メモリ１４ａ、１４ｂ、１４ｃ、１４ｄの内、予約時刻メモリ１４ａ「朝」の時刻が「ＡＭ７：００」、予約時刻メモリ１４ｂ「昼」の時刻が「ＡＭ１１：３０」、予約時刻メモリ１４ｃ「晩」の時刻が「ＰＭ６：００」、予約時刻メモリ１４ｂ「Ｔ」の時刻が「ＰＭ３：００」に設定されている状態で、予約タイマー運転スイッチ１１が２回押圧操作されて予約時刻メモリ１４ｂ「昼」が選択され、予熱タイマー運転がセットされた場合について図４に基づいて説明する。
【００２８】
現在時刻が選択された予約時刻メモリ１４ｂの予約時刻「ＡＭ１１：３０」になると一定時間の予熱を開始すると共に、予熱が開始された時点で現在時刻と複数個の予約時刻メモリ１４ａ、１４ｂ、１４ｃ、１４ｄに記憶された予約時刻とをそれぞれ比較し、現在時刻であるＡＭ１１：３０以降で最も近い予約時刻のＰＭ３：００を記憶している予約時刻メモリ１４ｄを選択し、表示器１３の表示を予約時刻メモリ１４ｄの識別記号「Ｔ」と予約時刻の「ＰＭ３：００」に切り換えて表示させてタイマーセットし、予熱タイマー運転による予熱開始時刻であるＡＭ１１：３０から一定時間経過すると自動的に予熱を停止する。
【００２９】
ここで、選択された予約時刻メモリ１４ｄ「Ｔ」の予約時刻「ＰＭ３：００」の予熱が開始されると、再び予熱が開始した時点で現在時刻と複数個の予約時刻メモリ１４ａ、１４ｂ、１４ｃ、１４ｄに記憶された予約時刻とをそれぞれ比較し、現在時刻であるＰＭ３：００以降で最も近い予約時刻のＰＭ６：００を記憶している予約時刻メモリ１４ｃを選択し表示器１３に表示して一定時間の予熱を行う。
【００３０】
そして、この予熱の一定時間の間に給湯機１が使用され燃焼検知手段７により燃焼されたことを検知すると、予熱を行う一定時間を燃焼が開始された時点または終了した時点からさらに一定時間延長するので、器具を使用した場合にはすぐに使用できるよう待機させる時間を延長して使い勝手が良く、使用しない場合には一定時間で予熱を終了するので省電力となるものである。
【００３１】
また、予熱タイマー運転による予熱状態を複数回（例えば６回）行ったのにもかかわらず１回も燃焼検知手段７で燃焼を検知しなかった場合は、自動的に予熱タイマー運転をキャンセルするようにすると、予熱タイマー運転の解除し忘れによる無駄な電力消費を抑えることができるものである。
【００３２】
このように予熱タイマー運転スイッチ１１の押圧操作回数に応じて複数個の予約時刻メモリ１４ａ、１４ｂ、１４ｃ、１４ｄから１つの予約時刻メモリ１４をサイクリックに選択し、選択された予約時刻メモリ１４に記憶された予約時刻を予熱タイマー運転による予熱の開始時刻としてセットするので、複数の予約時刻に対してそれぞれ１つずつスイッチを設ける必要がなく、スイッチの実装数を最小にできると共に、朝は予熱しなくとも良いが晩は自動的に予熱させたいといった要望にも１つの予熱タイマー運転スイッチ１１の押圧操作のみで容易に応えることができるものである。
【００３３】
さらに、予熱タイマー運転を一回セットすれば、次の予熱タイマー運転の予約時刻をサイクリックに自動選択してタイマーセットするので、一度タイマーの予約時刻のパターンを決定してしまえば予熱タイマー運転を停止するまで何の操作もすることなく自動的に複数の予約時刻に予熱を行うことができ、予熱タイマー運転が終了する度にその都度予熱予約時刻を設定し直さなければならないといった不具合がなく、ユーザーの多様な要望に合わせたタイマーセットが可能で非常に使い勝手良いものである。
【００３４】
尚、前記予約時刻メモリ１４ａ、１４ｂ、１４ｃ、１４ｄの識別記号は、ユーザーがどの予約時刻メモリ１４を選択しているかを分かりやすく判別できるようにするもので、「朝、昼、晩」といった時刻的意味を有した記号に限るものではないが、「朝、昼、晩」とすることでユーザーの時刻設定の目安とすることができ、「朝」、「晩」は予熱タイマー運転させておきたいが「昼」は不要なときなど予約時刻をその都度確認せずとも識別記号を見るだけで容易に設定することができると共に、記憶させた予約時刻を確認する場合にも目安として活用することができ、非常に使い勝手が良いものである。
【００３５】
また、予約時刻選択手段１５は予熱タイマー運転スイッチ１１の押圧操作回数に応じて予約時刻メモリ１４ａ「朝」、予約時刻メモリ１４ｂ「昼」、予約時刻メモリ１４ｃ「晩」、予約時刻メモリ１４ｄ「Ｔ」の順番で予約時刻メモリ１４を予め定められた順序で選ぶようにしているが、これに限らず、例えば一回目の予熱タイマー運転スイッチ１１が操作されたときの現在時刻以降で一番近い予約時刻が記憶された予約時刻メモリ１４を自動選択してタイマーセットすることも可能である。この場合、２回目以降の予熱タイマー運転スイッチ１１の操作では、予め定められた順序で予約時刻メモリ１４を選択する方法や、操作の都度現在時刻と比較して現在時刻から近い順に予約時刻メモリ１４を選択してタイマーセットさせることも可能である。
【００３６】
このように、気化式石油給湯機１のような朝、昼、晩等の複数の使用時間帯を有した器具に於いては、複数個の予約時刻メモリ１４ａ、１４ｂ、１４ｃ、１４ｄを設けることで非常に使い勝手が良くなるものである。尚、予約時刻メモリ１４はこの一実施形態に示された数に限られるものではない。
【００３７】
【発明の効果】
以上のように、本発明の請求項１によれば、１つの予熱タイマー運転スイッチの操作のみで複数の予約時刻の内の１つを選択してタイマーセット可能でスイッチの実装数を最小限とすることができると共に、複数の予約時刻メモリの内どれを選択しているかを判別可能で予熱タイマーの設定操作が容易であり、また予熱タイマー運転が終了する度にその都度予熱予約時刻を設定し直さなければならないといった不具合がなく非常に使い勝手良く多様なユーザーの要望に対応できるという非常に優れた効果を有するものである。
更に１つの予約時刻メモリに記憶した予約時刻の予熱が開始または終了すると、自動的に現在時刻以降で一番近い予約時刻を記憶した予約時刻メモリを選択してタイマーセットするので、一度生活パターンに合わせた複数の予約時刻を設定すれば、これ以降は予熱タイマー運転スイッチを１回操作するだけで自動的に予熱タイマー運転を継続して行うことができ使い勝手が良いものである。
また、一度生活パターンに合わせた複数の予約時刻を設定すれば、これ以降は予熱タイマー運転スイッチを１回操作するだけで自動的に予熱タイマー運転をサイクリックに継続して行うことができ、一つの時刻の予熱タイマー運転が終わる毎に予熱タイマー運転スイッチを操作してタイマーセットする必要がなくとても使い勝手が良いものである。
【００３８】
また、本発明の請求項２によれば、複数個の予約時刻を設定可能で、予熱タイマー運転スイッチの操作回数に応じた予約時刻メモリを選択してタイマーセットすると共に、表示器に選択された予約時刻メモリの識別記号及び予約時刻を表示することができ、例えば「朝」、「晩」等の複数の時刻の内から１つを選択して予熱タイマー運転させることが容易な設定で可能で、ユーザーの要求に合わせた予熱タイマー設定ができ予熱タイマーの使い勝手が良いものであり、更に予熱タイマー運転スイッチの一回目の操作では現在時刻以降で最も近い予約時刻が記憶された予約時刻メモリを自動的に選択してタイマーセットするので、予熱タイマー運転スイッチを１回操作するだけで自動的に現在時刻以降で最も近い予約時刻に予熱タイマー運転を行うことができ使い勝手が良いものである。
【図面の簡単な説明】
【図１】本発明の一実施形態の予熱タイマー制御装置を付した気化式石油給湯機。
【図２】同一実施形態の予熱タイマー制御装置のブロック図。
【図３】同一実施形態のタイマーセットの仕方を説明するフローチャート。
【図４】同一実施形態の作動を説明するタイムチャート。
【符号の説明】
２  予熱タイマー制御装置
４  気化器
５  気化ヒータ
１１  予熱タイマー運転スイッチ
１２  予約時刻設定スイッチ
１３  表示器
１４ａ  予約時刻メモリ（朝）
１４ｂ  予約時刻メモリ（昼）
１４ｃ  予約時刻メモリ（晩）
１４ｄ  予約時刻メモリ（Ｔ）
１５  予約時刻選択手段
１６  時計カウンタ
１７  予熱タイマー運転手段
１８  予約内容表示手段
【図１】
0003999937.tif 000002
【図２】
0003999937.tif 000003
【図３】
0003999937.tif 000004
【図４】
0003999937.tif 000005